(57)【要約】  陳列品目を自動的に配向するための陳列アセンブリであって、基部と、上に陳列品目を搭載するための搭載部材とを含む。搭載部材は基部に取外し可能に搭載され、取外されると陳列品目を手で触れることを可能にし、取り付けられると位置合わせされていない向きから位置合わせされた陳列向きに自動的に動く。位置合わせ機構は磁気的に動作可能であり、好ましくは基部および搭載部材にそれぞれ取り付けられる第１の磁石および第２の磁石を含み、第１の磁石のＮ極およびＳ極はそれぞれ第２の磁石のＳ極およびＮ極と配列されて、搭載部材を陳列向きに配置する。別の位置合わせ機構は、搭載部材の位置合わせを容易にするために少なくとも１つのカム作用面を含み、さらに好ましくは基部および搭載部材のそれぞれにカム作用面を含み、カム作用面は位置合わせを容易にするために互いに係合する。
2009521300.tif 000002
【特許請求の範囲】
【請求項１】
陳列アセンブリであって、
基部と、
上に陳列品目を搭載するよう適合された搭載部材とを備え、搭載部材は搭載姿勢と取り外し姿勢との間で移動可能であり、搭載姿勢では搭載部材は基部と接触し、取り外し姿勢では搭載部材は移動可能であって、搭載部材は陳列品目を見て手に触れることを容易にするよう適合され、
前記搭載部材は、搭載姿勢の場合、位置合わせされていない向きと位置合わせされた陳列向きとの間で移動可能であり、さらに
搭載部材を位置合わせされていない向きから陳列向きに自動的に移動させるための位置合わせ機構を備える、陳列アセンブリ。
【請求項２】
前記位置合わせ機構は磁気的に動作可能である、請求項１に記載のアセンブリ。
【請求項３】
前記位置合わせ機構は基部および搭載部材の一方に取付けられる少なくとも１つの磁石を含む、請求項２に記載のアセンブリ。
【請求項４】
前記少なくとも１つの磁石は、基部に取付けられる第１の磁石と搭載部材に取付けられる第２の磁石とを含み、搭載部材を陳列向きに磁気的に回転させ、第１の磁石のＮ極およびＳ極は、陳列向きにおいて、第２の磁石のＳ極およびＮ極とそれぞれ位置合わせされる、請求項３に記載のアセンブリ。
【請求項５】
前記第１および第２の磁石の一方は開口を規定する環状磁石であり、搭載部材が搭載姿勢にある場合に、第１および第２の磁石の他方が前記開口内に配置される、請求項４に記載のアセンブリ。
【請求項６】
前記位置合わせ機構は、搭載部材を位置合わせされていない向きから陳列向きに移動するのを容易にする少なくとも１つのカム作用面を含む、請求項１に記載のアセンブリ。
【請求項７】
前記基部および搭載部材は互いに係合可能なカム作用面をそれぞれ含み、搭載部材が位置合わせされていない向きから陳列向きに動くのを容易にする、請求項６に記載のアセンブリ。
【請求項８】
前記カム作用面の一方は下方向に傾斜しており、他方のカム作用面は弓状であり、２つのカム作用面間の摺動可能な係合により、搭載部材が下方に螺旋状に動く、請求項７に記載のアセンブリ。
【請求項９】
前記搭載部材は、一部が弓状のカム作用面を形成する、凸状の外側面を有する支え部を含む、請求項８に記載のアセンブリ。
【請求項１０】
前記カム作用面の一方は実質的に平らであり、他方のカム作用面は弓状である、請求項７に記載のアセンブリ。
【請求項１１】
前記搭載部材は、位置合わせされていない向きから陳列向きに下方向に動く、請求項６に記載のアセンブリ。
【請求項１２】
前記搭載部材は、下方向に位置合わせされていない向きから陳列向きに移動しながら回転する、請求項１１に記載のアセンブリ。
【請求項１３】
前記搭載部材は、重力作用により位置合わせされていない向きから陳列向きに動く、請求項１１に記載のアセンブリ。
【請求項１４】
前記搭載部材は支え部を含み、基部は取り外し可能に支え部を中に収めるよう、上向きに開いている基部開口を規定する、請求項１に記載のアセンブリ。
【請求項１５】
前記搭載部材は支え部が基部開口内に配置され、搭載部材が位置合わせされていない向きから陳列向きに動く場合に、支え部を通る軸を中心に回転する、請求項１４に記載のアセンブリ。
【請求項１６】
磁石は基部開口に隣接する基部および支え部の少なくとも一方に取付けられて、搭載部材が位置合わせされていない位置から陳列位置に動くのを容易にする、請求項１５に記載のアセンブリ。
【請求項１７】
第１の磁石は基部開口に隣接して基部に取付けられ、第２の磁石は支え部に取付けられて、搭載部材が位置合わせされていない位置から陳列位置に動くのを容易にする、請求項１６に記載のアセンブリ。
【請求項１８】
つなぎ紐は基部と搭載部材とに接続されて基部と搭載部材との間で延在して、取り外し姿勢にある場合に搭載部材の移動を可能にしながら、搭載部材を基部に繋ぐ、請求項１に記載のアセンブリ。
【請求項１９】
前記搭載部材は、位置合わせされていない向きから陳列向きに螺旋状の態様で動く、請求項１に記載のアセンブリ。
【請求項２０】
前記搭載部材は下方に傾斜する下側面を有し、基部は下方に傾斜する上側面を有する壁があり、搭載部材の下側面は搭載部材が陳列向きにある場合に、基部の壁の上側面上に載っている、請求項１に記載のアセンブリ。
【発明の詳細な説明】
【技術分野】
【０００１】
発明の背景
１．技術分野
本発明は一般に販売促進のための陳列スタンドに関する。より特定的には、本発明は商品を手に取って触れることを可能にする陳列スタンドに関する。具体的には、本発明は商品に触れた後で、商品を所望の陳列向きに配置する陳列スタンドに関する。
【背景技術】
【０００２】
２．背景情報
商品を陳列するために用いられる多様な陳列構造のうち、商品を購入するかもしれない顧客が商品を手に取ってみてそれが望ましい特徴を有するか否かを判断することができるようにするものがある。これは携帯電話やカメラなどの電子品目であって、単価が高い種類のものを陳列する場合でも、購入するかもしれない顧客が商品を見たり手に触れたりするために、店の従業員を探して商品を解錠してもらうようなことを販売側が望まない場合一般的である。このような品目について盗難に対する安全性を提供する必要があることに加えて、商品を整頓された状態で陳列する必要がある。これは購入するかもしれない顧客が携帯電話やカメラのような商品を手に取って吟味し、それをいいかげんに元の陳列場所に戻した場合に問題となる。このような商品は特に複数個互いに近く陳列されており、それらが無作為に戻されてしまうと、雑然とした感じを醸し出してしまうからである。本発明はこのような問題および他の問題に対処する。
【発明の開示】
【課題を解決するための手段】
【０００３】
本発明の概要
本発明は陳列アセンブリを提供し、これは基部と、上に陳列品目を搭載するよう適合された搭載部材とを備え、搭載部材は搭載姿勢と取外し姿勢との間で移動可能であり、搭載姿勢では搭載部材は基部と接触し、取外し姿勢では搭載部材は移動可能であって、搭載部材は陳列品目を見て手に触れることを容易にするよう適合され、搭載姿勢の場合に、搭載部材は位置合わせされていない向きと位置合わせされた陳列向きとの間で移動可能であり、さらに搭載部材を位置合わせされていない向きから陳列向きに自動的に移動させるための位置合わせ機構を備える。
【発明を実施するための最良の形態】
【０００４】
発明の詳細な説明
図面において同様の番号は同様の部分を示す。
【実施例１】
【０００５】
本発明の陳列アセンブリまたは陳列スタンドの第１の実施例は、図１−図２において総括的に１００として示されており、第２の実施例は図９−図１１において総括的に２００として示されている。図１−図２を参照して、スタンド１００は基部１０２と、基部１０２上に取外し可能に搭載される搭載部材１０４と、基部１０２および搭載部材１０４に接続されかつその間で延在するつなぎ紐１０６とを含む。搭載部材１０４は前部１０３、後部１０５、ならびに第１の側部１０７および第２の側部１０９を有し、これらは後で述べる搭載部材１０４の動きを明確にするための基準点として用いられる。搭載部材１０４は携帯電話１０８のような商品または陳列品目を上に搭載するよう構成されており（図３）、それにより商品を見て手に触れることができるよう商品を基部１０２から動かすことができる。基部１０２は支持面１１１上に載せられている土台１１０と、土台１１０から上
向きに延在する上方向に突出する支柱１１２と、ねじ１１６である１対の留め具によって支柱１１２の上端に接続される台座部材１１４とを含む。支柱１１２は前部、対向する後部１１５、ならびに第１の側部１１７および対向する第２の側部１１９を有し、これらも以下で詳細に説明する搭載部材１０４の動きを明確にするための基準点として用いられる。
【０００６】
台座部材１１４は開口１１８を規定し、開口１１８は台座部材１１４の上面１２０から下方向に延在する。より特定的に、台座部材１１４は実質的に平らな台座プレート１２２と、カップ状部材１２４とを含む。カップ状部材１２４はプレート１２２から下方向に延在する円筒の側壁１２６と、側壁１２６と接続する底壁１２８（図３）とを含む。底壁１２８から側壁１２６が上方向に延在する。カップ状部材１２４は滑らかな内側面１３０を有する。
【０００７】
搭載部材１０４は商品搭載部１３２と支え部１３４の形を取る基部搭載部とを含み、支え部１３４は搭載部１３２から下方向に延在する。支え部１３４は、搭載部１３２から下方向に延在する円筒形または円錐形の側壁１３５と、側壁１３５に接続する底壁１３７とを含み、側壁１３５および底壁１３７は内部チャンバ１３９を規定する。側壁１３５は一般に円錐形または円筒形の外面１３６を有し、これはカップ状部材１２４の内側面１３０と嵌め合う構成を有する。外面１３６は滑らかであるので面１３６と面１３０との間の摩擦が減じられて、支え部１３４が開口１１８内に配置された場合に摺動可能な係合を容易にする。搭載部１３２は上面１３８を有し、その上に携帯電話１０８が搭載可能である。
【０００８】
本発明の特徴に従い、第１の磁石１４０が支え部１３４の内部チャンバ１３９内に配置され、第２の磁石１４２（図３）がカップ状部材１２４に隣接して、かつ外側に基部１０２に取付けられる。第１の磁石１４０はＮ極Ｎ１およびＳ極Ｓ１を有する。第２の磁石１４２は中央磁石開口１４４を規定する環状磁石であり、開口１４４内にカップ状部材１２４の側壁１２６が配置され、側壁１２６の外側面１４６は磁石１４２の内側面１４８に当接する。磁石１４２は支柱１１２によって規定される内部チャンバ１５０内に、その上端部に隣接して取付けられる。第２の磁石１４２のＮ極Ｎ２およびＳ極Ｓ２は、それぞれ第１の磁石１４０のＳ極Ｓ１およびＮ極Ｎ１と磁力により引付けられ、支え部１３４が基部１０２の開口１１８内に配置された場合に、搭載部材１０４および搭載されていれば携帯電話１０８を位置合わせされた陳列向きにする。さらに、Ｓ極Ｓ１およびＳ２間ならびにＮ極Ｎ１およびＮ２間には斥力が働いて、搭載部材１０４および携帯電話１０８が位置合わせされた陳列向きに回転するのを助ける。
【０００９】
つなぎ紐１０６は螺旋状のワイヤのように、伸張および収縮を可能にする構造であり、ここでは一般の電話コードとして示される。つなぎ紐１０６は基部１０２と搭載部材１０４との間に電気的通信を提供し、携帯電話１０８が搭載部材１０４から外された場合、またはつなぎ紐１０６による電気的接続が何らかの態様で損なわれた場合の防犯警報を提供する。基部１０２は独立して設けられてもよいが、一般に基部１０２は支持面１１１に固定されるのが好ましい。
【００１０】
陳列スタンド１００の動作は図４−図８を参照して説明する。図４は基部１０２上に搭載される搭載部材１０４を示し、支え部１０４は位置合わせされていない向きで開口１１８内に配置されている。より特定的には、第１の磁石１４０のＮ極Ｎ１およびＳ極Ｓ１はそれぞれ第２の磁石１４２のＳ極Ｓ２およびＮ極Ｎ２と位置合わせされていない。図４に示されるように、第１の磁石１４０のＳ極Ｓ１は第２の磁石１４２のＮ極Ｎ２から約９０°ずれている。図４からわかるように、部材１０４の後部１０５は第１の磁石１４０のＳ極Ｓ１と一般に位置合わせされているので、磁石１４２のＮ極Ｎ２またはＳ極Ｓ２のどちらかに対して約９０°ずれている。さらに、携帯電話１０８の上面１５４および底面１５
６は基準点となる。図４では、上面１５４は部材１０４の後部１０５および第１の磁石１４０のＳ極Ｓ１と一般に位置合わせされている。図５では、図４の位置合わせされていない向きで、上から見た搭載部材１０４および携帯電話１０８を示す。
【００１１】
図６は支え部１３４の中央を通る軸Ａを中心とする、搭載部材１０４および携帯電話１０８の回転を示す（矢印Ｂ）。前記回転は、第１の磁石１４０のＮ極Ｎ１およびＳ極Ｓ１と第２の磁石１４２のＳ極Ｓ２およびＮ極Ｎ２とのそれぞれの磁力および同様の極間の斥力に応答する。図７では、搭載部材１０４と携帯電話１０８とが位置合わせされた陳列向きに完全に回転した状態を示す。図８は矢印Ｃで示すように、搭載部材１０４と携帯電話１０８が位置合わせされた陳列向きに回転されて、第１の磁石１４０のＮ極Ｎ１およびＳ極Ｓ１が第２の磁石１４２のＳ極Ｓ２およびＮ極Ｎ２とそれぞれ位置合わせられている状態を示す。搭載部材１０４と携帯電話１０８のこの回転運動は、上述の磁力および斥力を超えるさらなる力を必要とせずに、支え部１３４が開口１１８内にあって搭載部材１０４を放すことによって自動的に起こる。電流を用いることによって磁界を与えることは可能であるが、磁石１４０および１４２のような永久磁石を用いて、簡単で費用効率の高い磁気により可動な位置合わせ機構を提供するのが好ましい。
【実施例２】
【００１２】
図９−図１０を参照して、陳列スタンド２００を説明する。陳列スタンド２００はスタンド１００と同様に、基部２０２、搭載部材２０４、およびつなぎ紐１０６を含む。搭載部材２０４に形成される細長い開口を通って延在するよう示されている、ねじまたはボルトのような留め具２０９を介して、カメラ２０８である商品（図１２）を上に搭載するように搭載部材２０４は構成されている。商品を搭載部材２０４に搭載するために当該技術分野において既知の搭載機構を用いることができる。搭載部材２０４は前部２０３、対向する後部２０５、ならびに第１の側部２０６および第２の側部２０７を有する。基部２０２は基部１０２と同様に土台１１０を含み、さらに支柱１１２と同様の支柱２１２を含む。支柱２１２は前部２１３、対向する後部２１５、ならびに互いに対向する第１の側部２１６（図１１）および第２の側部２１７を有する。基部２０２はさらに台座部材２１４を含み、これは接着、音波溶接または既知の他の適切な手段によって支柱２１２上に取付けられる。
【００１３】
図１１−図１２を参照して、台座部材２１４は部材２１４の上面２２０から下方向に延在する開口２１８を規定する。より特定的には、台座部材２１４は平らな上面２２０を規定する台座プレート２２２を含む。部材２１４はさらにプレート２２２から下方向に延在し、先端が切取られた円筒形のカップ状部材２２４を含む。より特定的には、部材２２４はプレート２２２から下方向に延在する実質的に円筒形の側壁２２６と、傾斜底壁２２８とを含み、底壁２２８は特定的に側壁２２６の第１の側部２２７から側壁２２６の対向する第２の側部２２９に下方に傾斜する。底壁２２８は実質的に平らであり、楕円形である。カップ状部材２２４の内側面２３０は好ましくは滑らかであり、面２３０と支え部２３４との間の摩擦を最小にして摺動可能な係合を容易にする。内側面２３０は底壁２２８の内側または上側面２３１を含む。上側面２３１は実質的に平らであり、側壁２２６の隣接する第１の側部２２７から隣接する第２の側部２２９に下方に傾斜し、実質的に楕円形である。こうして、開口２１８は側壁２２６および底壁２２８の内側面２３０によって境界が定められる内部チャンバである。
【００１４】
搭載部材２０４は上面２３８を有する商品搭載部２３２と、支え部２３４の形を取る基部搭載部とを含み、支え部２３４は搭載部２３２に接続され、かつそこから下方向に延在する。支え部２３４の実質的に円筒形の側壁２３５は外面２３６を有し、これは実質的に円筒形かつ凸状であることにより、カップ状部材２２４の内側面２３０との摺動的係合を容易にするために平滑である。支え部２３４はさらに下側面２３９を有する実質的に平ら
な楕円形の底壁２３７を有し、下側面２３９はカップ状部材２２４の底壁２２８の上側面２３１と嵌め合う構成で傾斜する。底壁２３７は側壁２３５の外面２３６に沿って存在する楕円形の外周２４１を有する。支え部２３４の下側端部に隣接して第１の弓形のカム作用面２４０Ａおよび第２の弓形のカム作用面２４０Ｂがあり、これらは側壁２３５と底壁２３７との交差部にある外周２４１上にある。カム作用面２４０Ａおよび２４０Ｂは交互に底壁２２８の上側面２３１と連動して、以下で説明するように搭載部材２０４およびカメラ２０８を位置合わせされた陳列向きに回転させる。各カム作用面２４０は、側壁２３５の下側端部に沿って渡る弓形の面である。各カム作用面２４０は円筒形側壁２３５を切取ることによって形成された楕円外周２４１の円弧である。
【００１５】
陳列スタンド２００の動作は図１２−図１５を参照して説明する。図１２はカメラ２０８が搭載された、取外し姿勢の搭載部材２０４を示す。カメラ２０８の前部２４２、後部２４４、ならびに対向する側部２４６および２４８（図１５）は、搭載部材２０４およびカメラ２０８の位置合わせされた陳列向きへの運動を明瞭にするための基準点として用いることができる。
【００１６】
図１２は搭載部材２０４を示し、その前部２０３は支柱２１２の第１の側部２１６に対向し、カメラ２０８の前部２４２も同様に対向する。ユーザまたは購入するかもしれない顧客は、図１３の矢印Ｄに示されるように、搭載部材２０４およびカメラ２０８を下方向に動かすことにより、搭載部材２０４を基部２０２上の搭載姿勢に戻し、支え部２３４は開口２１８内に収まっている。例示的実施例において、この下向きの移動は、支え部２３４の中心を通る実質的に垂直な軸Ｅの直線に対して並行である。図１３は底壁２２８の上側面２３１との最初の係合点にあるカム作用面２４０Ａを示す。支え部２３４を開口２１８内に挿入すると、カメラ２０８を触っていた人は単にカメラ２０８および搭載部材２０４を離せば、重力により部材２０４およびカメラ２０８が図１４の矢印Ｆに示されるように下方向に引っ張られる。なぜなら、カム作用面２４０Ａおよび２３１間のカム作用の係合により、部材２０４およびカメラ２０８は矢印Ｇによって示されるように軸Ｅを中心に回転させられ、それによりカメラ２０８の前部２４２および搭載部材２０４の前部２０３は支柱２１２の前部２１３の方に動く。
【００１７】
この下方向の移動および軸Ｅを中心とした回転運動の組合せにより、部材２０４およびカメラ２０８は下方に螺旋状に動く。この動作の際、カム作用面２４０Ａは下方向にかつ傾斜内側面２３１に沿って横に摺動し、支え部２３４の側壁２３５の外側面２３６はカップ状部材２２４の側壁２２６に沿って内側面２３０と摺動的に係合する。カム作用面２４０Ａと内側面２３１とが係合する前に、面２３６および２３０間の摺動可能な係合は直線的に縦下方であり得る。カム作用面２４０および２３１が係合して部材２０４およびカメラ２０８を回転させると、面２３６および２３０間の摺動的係合は回転運動を含み、それゆえ、その間に下向の螺旋状の摺動可能係合をもたらす。この下向の螺旋状の運動は、支え部２３４の下側面２３９が搭載壁２２８の上側面２３１上に嵌め合う態様で収まるまで続き、そのときカメラ２０８の前部２４２および搭載部材２０４の前部２０３は支柱２１２の前部２１３と位置合わせされ、これらの部材の対応する後部および側部もそれぞれ位置合わせされる。こうして、重力作用により部材２０４およびカメラ２０８を下方向に移動させ、カム作用面２４０Ａおよび２３１を介して回転を引起して、図１５の位置合わせされた陳列向きとなる。この陳列向きとなるには、他の力は必要なく、支え部２３４が基部２０２の開口２１８内に収められて、カメラ２０８および部材２０４を離せば、自動的に起こる。
【００１８】
代わりに、カム作用面２４０Ｂはカム作用面２３１と係合して、図１４の矢印Ｇによって示される反対方向に、部材２０４およびカメラ２０８を軸Ｅの周りに回転させることもできる。こうして、陳列スタンド２００は搭載部材２０４およびカメラ２０８のような商
品を上記のように位置合わせされていない向きから位置合わせされた陳列向きに動かす簡単な位置合わせ機構をもたらす。
【００１９】
上記では、簡潔性、明瞭性、およびわかりやすさのために特定の用語が用いられている。このような用語は説明のためにのみ用いられており、広く解釈されるべきものなので、先行技術の要件を超えて不必要に制限的なものではないと考えられるべきである。
【００２０】
さらに、本発明の記載および図示は例示的なものであって、本発明は示されるまたは記載されるそのものに制限されるべきではない。
【図面の簡単な説明】
【００２１】
【図１】本発明の第１の実施例による陳列装置の基部の斜視図である。
【図２】第１の実施例による陳列装置の側部立面図である。
【図３】上に商品が搭載された搭載部材であって、基部から取外された、一部が断面で示される、部分分解図である。
【図４】図３と類似しており、基部に載せられている搭載部材を示す図である。
【図５】搭載部材および点鎖線で示される商品が位置合わせされていない向きで基部に載せられている様子を示す、一部が切取られた上面図である。
【図６】図５と類似しており、搭載部材および商品が図５に示される姿勢から位置合わせされた陳列向きに回転する様子を示す図である。
【図７】図６と類似しており、搭載部材および商品が位置合わせされた陳列向きにある様子を示す図である。
【図８】搭載部材および商品が位置合わせされた陳列向きに回転する様子を示す、一部が断面で示される、部分側部立面図である。
【図９】搭載部材が基部上に搭載されている様子を示す、本発明の第２の実施例による陳列装置の斜視図である。
【図１０】図９に示される陳列装置の側部立面図である。
【図１１】搭載部材が基部から取外されている様子を示す、第２の実施例の部分斜視図である。
【図１２】上に商品が搭載されている搭載部材は、支え部が基部の開口上に配置されており、中に開口が形成されている基部の部分の断面を示すために、一部が切取られた、第２の実施例の側部立面図である。
【図１３】図１２と類似しており、支え部が基部の開口内に配置され、かつ開口の境界を形成する、基部の傾斜したカム状の壁と初期接触をなすよう、搭載部材および商品が下方向に動かされている様子を示す図である。
【図１４】図１３と類似しており、搭載部材および商品が基部の開口内で下方向に移動しながら回転している様子を示す図である。
【図１５】図１４と類似しており、搭載部材および商品が完全に回転して位置合わせされた陳列向きに移動している様子を示す図である。
【図１】
2009521300.tif 000003
【図２】
2009521300.tif 000004
【図３】
2009521300.tif 000005
【図４】
2009521300.tif 000006
【図５】
2009521300.tif 000007
【図６】
2009521300.tif 000008
【図７】
2009521300.tif 000009
【図８】
2009521300.tif 000010
【図９】
2009521300.tif 000011
【図１０】
2009521300.tif 000012
【図１１】
2009521300.tif 000013
【図１２】
2009521300.tif 000014
【図１３】
2009521300.tif 000015
【図１４】
2009521300.tif 000016
【図１５】
2009521300.tif 000017
【国際調査報告】
2009521300.tif 000018